(57)【要約】【課題】従来の造園工事等で樹木を植栽した場合、樹木の周辺は土を盛り付けるのみの方法では、樹木周辺に雑草が繁茂し、見栄えが悪く且つ保水性を損なって樹木の育成を阻害し、また、その雑草の刈り払いの際には樹木を損傷する、といった不都合が生じていた。【解決手段】本発明は、主に緑化工事、造園工事、法面の保護のために行う工事等に用いられる、炭粉を用いた造園施工方法に関するものであり、ゴルフ場、パークゴルフ場、サッカー場、野球場、イベント会場などの芝生、路側や法面、或いは庭園や公園や草地などの保護対象たる地面上に、少なくとも炭粉を混入した材料を散布して堆積させる工程を含み、保水力を向上させ又地温を向上させ、芝生等の有用な植物の育成や種子の早期発芽を促し、病害等の発生を抑制し、土壌改良の効果を発揮し且つ美観にも資することを特徴としている。【選択図】　　　　図１
2004097090.tif 000002
【特許請求の範囲】
【請求項１】
ゴルフ場、パークゴルフ場、サッカー場、野球場、イベント会場などの芝生、路側や法面、或いは庭園や公園や草地などの保護対象たる地面上に、少なくとも炭粉を混入した材料を散布して堆積させる工程を含み、保水力を向上させ又地温を向上させ、芝生等の有用な植物の育成や種子の早期発芽を促し、病害等の発生を抑制し、土壌改良の効果を発揮し且つ美観にも資することを特徴とする、炭粉を用いた造園施工方法。
【請求項２】
コンクリート、岩盤、岩石、石礫、砂礫などの表面上に、少なくとも炭粉を混入した材料を散布して堆積させる工程を含み、コンクリート、岩盤、岩石、石礫、砂礫などの表面上を緑化して、美観にも資することを特徴とする、炭粉を用いた造園施工方法。
【請求項３】
該保護対象たる地面上或いは該表面上に、少なくとも炭粉を混入した材料を散布して堆積させる工程を含む造園施工方法に於いて、該炭粉を混入した材料を散布する際に散布剤に結着剤を混入して、同時に散布を行うことを特徴とする、請求項１または請求項２記載の炭粉を用いた造園施工方法。
【請求項４】
該保護対象たる地面上或いは該表面上に、少なくとも炭粉を混入した材料を散布して堆積させる工程を含む造園施工方法に於いて、該炭粉を混入した材料を散布した後に、結着剤を混入した散布剤の散布を行うことを特徴とする、請求項１または請求項２記載の炭粉を用いた造園施工方法。
【請求項５】
保護対象たる地面上に少なくとも通気性及び透水性を有する第一のシートを敷設する工程と、少なくとも炭粉を混入した間伐材または建設廃材を原料とする木材チップを含む林産物や穀類副産物などの植物性材料を含む材料を堆積させる工程と、該植物性材料を覆う少なくとも通気性及び透水性を有する第二のシートを敷設する工程と、該シート及び植物性材料を止釘あるいはアンカーピンで固定する工程とを含み、法面、路側、庭園の周辺、ゴルフ場やパークゴルフ場のコース外側部、住宅の周囲、等々の保護兼雑草抑制を要する地面に施工することで、不要な雑草の繁茂を抑制することを特徴とする、炭粉を用いた造園施工方法。
【請求項６】
少なくとも炭粉を混入した間伐材または建設廃材を原料とする木材チップを含む林産物や穀類副産物などの植物性材料を含む材料を、少なくとも通気性及び透水性を有するシートを袋状に形成したものに充填する工程と、該袋状の構成物を対象とする地面に敷設する工程と、該シート及び植物性材料を止釘あるいはアンカーピンで固定する工程とを含み、法面、路側、庭園の周辺、ゴルフ場やパークゴルフ場のコース外側部、住宅の周囲、等々の保護兼雑草抑制を要する地面に施工することで、不要な雑草の繁茂を抑制することを特徴とする、炭粉を用いた造園施工方法。
【請求項７】
該炭粉は、間伐材または建設廃材を原料として製造された木炭を粉砕して用いることを特徴とする、請求項１乃至６記載の炭粉を用いた造園施工方法。
【発明の詳細な説明】
【０００１】
【発明の属する技術分野】
本発明は、主に緑化工事、造園工事、法面の保護のために行う工事等に用いられる、炭粉を用いた造園施工方法に関するものである。
【０００２】
【従来の技術】
従来、緑化工事、造園工事、法面の保護のために行う工事等では、ネットの張り付けなどが行われていた。
【０００３】
【発明が解決しようとする課題】
しかし、従来の造園工事等で樹木を植栽した場合、樹木の周辺は土を盛り付けるのみの方法では、樹木周辺に雑草が繁茂し、見栄えが悪く且つ保水性を損なって樹木の育成を阻害し、また、その雑草の刈り払いの際には樹木を損傷する、といった不都合が生じていた。
【０００４】
また、従来の法面工事の崩落防止のためにネットの張り付けなどを行う方法では、崩落防止効果が低かった。また、保水効果や崩落防止効果の向上のため芝生の貼り付けや種子の吹きつけ等の工事も行われているが、十分な発芽や育成を得ることは困難であった。
【０００５】
また、植林された樹木を生長させるために行われる間伐時に発生する間伐材や建設廃材は、利用する用途が非常に少なく、産業廃棄物としてその処理が問題となっていた。
【０００６】
【課題を解決するための手段】
本発明は、主に緑化工事、造園工事、法面の保護のために行う工事等に用いられる、炭粉を用いた造園施工方法に関するものであり、ゴルフ場、パークゴルフ場、サッカー場、野球場、イベント会場などの芝生、路側や法面、或いは庭園や公園や草地などの保護対象たる地面上に、少なくとも炭粉を混入した材料を散布して堆積させる工程を含み、保水力を向上させ又地温を向上させ、芝生等の有用な植物の育成や種子の早期発芽を促し、病害等の発生を抑制し、土壌改良の効果を発揮し且つ美観にも資することを特徴としている。
【０００７】
また、本発明は、コンクリート、岩盤、岩石、石礫、砂礫などの表面上に、少なくとも炭粉を混入した材料を散布して堆積させる工程を含み、コンクリート、岩盤、岩石、石礫、砂礫などの表面上を緑化して、美観にも資することを特徴とする。
【０００８】
また、本発明は、該該保護対象たる地面上或いは該表面上に、少なくとも炭粉を混入した材料を散布して堆積させる工程を含む造園施工方法に於いて、該炭粉を混入した材料を散布する際に散布剤に結着剤を混入して、同時に散布を行うことを特徴とする。
【０００９】
また、本発明は、該保護対象たる地面上或いは該表面上に、少なくとも炭粉を混入した材料を散布して堆積させる工程を含む造園施工方法に於いて、該炭粉を混入した材料を散布した後に、結着剤を混入した散布剤の散布を行うことを特徴とする。
【００１０】
また、本発明は、保護対象たる地面上に少なくとも通気性及び透水性を有する第一のシートを敷設する工程と、少なくとも炭粉を混入した間伐材または建設廃材を原料とする木材チップを含む林産物や穀類副産物などの植物性材料を含む材料を堆積させる工程と、該植物性材料を覆う少なくとも通気性及び透水性を有する第二のシートを敷設する工程と、該シート及び植物性材料を止釘あるいはアンカーピンで固定する工程とを含み、法面、路側、庭園の周辺、ゴルフ場やパークゴルフ場のコース外側部、住宅の周囲、等々の保護兼雑草抑制を要する地面に施工することで、不要な雑草の繁茂を抑制することを特徴とする。
【００１１】
また、本発明は、少なくとも炭粉を混入した間伐材または建設廃材を原料とする木材チップを含む林産物や穀類副産物などの植物性材料を、少なくとも通気性及び透水性を有するシートを袋状に形成したものに充填する工程と、該袋状の構成物を対象とする地面に敷設する工程と、該シート及び植物性材料を止釘あるいはアンカーピンで固定する工程とを含み、法面、路側、庭園の周辺、ゴルフ場やパークゴルフ場のコース外側部、住宅の周囲、等々の保護兼雑草抑制を要する地面に施工することで、不要な雑草の繁茂を抑制することを特徴とする。
【００１２】
また、本発明は、該炭粉は、間伐材または建設廃材を原料として製造された木炭を粉砕して用いることを特徴とする。
前記の方法を用いる事により、簡便な方法によって安価に緑化工事、造園工事、法面の保護のために行う工事等での芝生等の有用な植物の育成、種子の早期発芽を促し、保水力を向上させ、病害等の発生を抑制し、土壌改良の効果を発揮し且つ美観にも資する方法を施工する事が出来、また、間伐材や建設廃材の有効な利用方法となることが出来、以って産業に多大なる貢献をする事が出来るものである。
【００１３】
【発明の実施の形態】
簡便な方法によって安価に緑化工事、造園工事、法面の保護のために行う工事等で保水力を向上させ又地温を向上させ、芝生等の有用な植物の育成や種子の早期発芽を促し、病害等の発生を抑制し、土壌改良の効果を発揮し且つ美観にも資する施工を行う事が出来、また、間伐材や建設廃材の有効な利用方法となることを、間伐材または建設廃材を原料として製造された木炭を粉砕して用いることによって行うという非常に簡便な方法によって実現した。
【００１４】
【実施例】
（実施例１）
図１は、本発明の１実施例の工程の略図である。ここでは、本発明にかかるゴルフ場、パークゴルフ場、サッカー場、野球場、イベント会場などの芝生、路側や法面、或いは庭園や公園や草地などの保護対象たる地面に対する工事等に用いられる、炭粉を用いた造園施工方法の一例を示している。
【００１５】
ここで、本実施例では、パークゴルフ場の芝生の保護育成のため、圧縮空気を用いて炭粉を散布施工した。本実施例では、本発明に係る施工方法で用いる炭粉として、本発明に係る間伐材または建設廃材を原料として製造された木炭を粉砕したものを用いている。本実施例では、通常は用途がほとんど無く、産業廃棄物として処理されていた間伐材または建設廃材を炭粉の原材料として有効に再利用しており、エコロジーという観点からも非常に有効である。
【００１６】
本実施例で施工した造園施工方法は、炭粉によって芝生の保水性が向上するとともに、黒色に呈色しているため太陽光の吸収に優れ保温効果が高く且つ色粉等を添加しなくても美観に優れ、炭粉の活性炭作用によって病害の発生が抑制され、有用な植物の育成に与って効果があった。さらに、炭粉が保水効果及び保温効果を有するため、樹木を保護し生育を助ける効果があり、特に寒冷地における冬季の植物保護に与って効果がある。
【００１７】
なお、本発明の方法は本実施例のパークゴルフ場の芝生の保護育成に限定されるものではなく、ゴルフ場、パークゴルフ場、サッカー場、野球場、イベント会場などの芝生、路側や法面、或いは庭園や公園や草地などの保護対象たる地面に対する工事等に広く用いられ、その効果を発揮することが出来る。
【００１８】
本発明の方法を用いる事により、安価に簡便な方法でゴルフ場、パークゴルフ場、サッカー場、野球場、イベント会場などの芝生、路側や法面、或いは庭園や公園や草地などの保護対象たる地面に対する有効な造園施工方法を得ることが出来、非常に有効であった。
【００１９】
（実施例２）
図２は、本発明の他の実施例の工程の略図である。ここでは、本発明にかかるゴルフ場、パークゴルフ場、サッカー場、野球場、イベント会場などの芝生、路側や法面、或いは庭園や公園や草地などの保護対象たる地面に対する工事等に用いられる、炭粉を用いた造園施工方法の他の一例を示している。
【００２０】
ここで、本実施例では、間伐材を原料とする木材チップと枯葉及び緑葉に炭粉を加えたものを、少なくとも通気性及び透水性を有するシートを袋状に形成したものに収納したものを用いた。また、本実施例では、本発明に係る施工方法で用いる炭粉として、本発明に係る間伐材または建設廃材を原料として製造された木炭を粉砕したものを用いている。本実施例では、通常は用途がほとんど無く、産業廃棄物として処理されていた間伐材をチップ及び炭粉の原材料として有効に再利用しており、エコロジーという観点からも非常に有効である。
【００２１】
本実施例で施工した造園施工方法は、炭粉を間伐材または建設廃材を原料とする木材チップを含む林産物や穀類副産物などの植物性材料に添加したものを、少なくとも通気性及び透水性を有するシートを袋状に形成したものに充填する工程と、該袋状の構成物を対象とする地面に敷設する工程と、該シート及び植物性材料を止釘あるいはアンカーピンで固定する工程と、によって実施したものである。炭粉を加えていることによって、該構成物は保水性が向上するとともに、黒色に呈色しているため太陽光の吸収に優れ保温効果が高く且つ色粉等を添加しなくても美観に優れ、炭粉の活性炭作用によって病害の発生が抑制され、有用な植物の育成に与って効果があった。また、植物性材料は設置後徐々に発酵して発熱してくるため、雑草の種子の発芽を阻害し、樹木を保護し生育を助けると共に雑草の発生を防いで美観を保持する効果が顕著であった。また、雑草の刈り払い作業等が減少してコストダウンすると共に、刈り払い作業によって樹木を損傷することもなくなった。さらに、構成物自身が保水効果及び保温効果を有するため、樹木を保護し生育を助ける効果がある。特に該保温効果は、該発酵による発熱も相俟って寒冷地における冬季の樹木保護に与って効果がある。
【００２２】
本発明の方法を用いる事により、安価に簡便な方法でゴルフ場、パークゴルフ場、サッカー場、野球場、イベント会場などの芝生、路側や法面、或いは庭園や公園や草地などの保護対象たる地面に対する有効な造園施工方法を得ることが出来、非常に有効であった。
【００２３】
また、本発明の植物性材料は、発酵によって堆肥化するため、肥料として別途再利用することが可能である。
【００２４】
（実施例３）
図３は、本発明の他の実施例の工程の略図である。ここでは、本発明にかかるゴルフ場、パークゴルフ場、サッカー場、野球場、イベント会場などの芝生、路側や法面、或いは庭園や公園や草地などの保護対象たる地面に対する工事等に用いられる、炭粉を用いた造園施工方法の他の一例を示している。
【００２５】
ここで、本実施例では、施工対象たる地面上に少なくとも通気性及び透水性を有する第一のシートを敷設する工程と、少なくとも炭粉と間伐材または建設廃材を原料とする木材チップを含む林産物や穀類副産物などの植物性材料を含む材料を堆積させる工程と、該炭粉を含んだ植物性材料を覆う少なくとも通気性及び透水性を有する第二のシートを敷設する工程と、該シート及び炭粉を含んだ植物性材料を止釘あるいはアンカーピンで固定する工程と、による本発明に係る方法を法面工事の土留め施工用いた。なお、本発明の方法は本実施例のパークゴルフ場の芝生の保護育成に限定されるものではなく、ゴルフ場、パークゴルフ場、サッカー場、野球場、イベント会場などの芝生、路側や法面、或いは庭園や公園や草地などの保護対象たる地面に対する工事等に広く用いられ、その効果を発揮することが出来る。
【００２６】
本実施例の場合、従来のネットを張り付けする工法に比べて土留め効果が高く、また止釘などの使用数も非常に少ない施工が可能となった。また、本発明の炭粉を含んだ植物性材料は施工現地でチップ化と同時に吹き付け堆積させる工法が可能であり、予めネットに収納加工した後に運搬施工する必要がなく、工数が削減されてコストダウンの効果は顕著であった。
【００２７】
また、本実施例では、本発明に係る施工方法で用いる炭粉として、本発明に係る間伐材または建設廃材を原料として製造された木炭を粉砕したものを用いている。本実施例では、通常は用途がほとんど無く、産業廃棄物として処理されていた間伐材をチップ及び炭粉の原材料として有効に再利用しており、エコロジーという観点からも非常に有効である。
【００２８】
本実施例で施工した造園施工方法は、炭粉を加えていることによって、該構成物は保水性が向上するとともに、黒色に呈色しているため太陽光の吸収に優れ保温効果が高く且つ色粉等を添加しなくても美観に優れ、炭粉の活性炭作用によって病害の発生が抑制され、有用な植物の育成に与って効果があった。また、植物性材料は設置後徐々に発酵して発熱してくるため、雑草の種子の発芽を阻害し、樹木を保護し生育を助けると共に雑草の発生を防いで美観を保持する効果が顕著であった。また、雑草の刈り払い作業等が減少してコストダウンすると共に、刈り払い作業によって樹木を損傷することもなくなった。さらに、構成物自身が保水効果及び保温効果を有するため、樹木を保護し生育を助ける効果がある。特に該保温効果は、該発酵による発熱も相俟って寒冷地における冬季の樹木保護に与って効果がある。
【００２９】
本発明の方法を用いる事により、安価に簡便な方法でゴルフ場、パークゴルフ場、サッカー場、野球場、イベント会場などの芝生、路側や法面、或いは庭園や公園や草地などの保護対象たる地面に対する有効な造園施工方法を得ることが出来、非常に有効であった。
【００３０】
また、本発明の植物性材料は、発酵によって堆肥化するため、肥料として別途再利用することが可能である。
【００３１】
（実施例４）
次に、本発明に係る炭粉を用いた造園施工方法の他の実施例を説明する。ここでは、本発明にかかるゴルフ場、パークゴルフ場、サッカー場、野球場、イベント会場などの芝生、路側や法面、或いは庭園や公園や草地などの保護対象たる地面に対する工事等に用いられる、炭粉を用いた造園施工方法として、路側の法面に対して実施した施工方法を示す。
【００３２】
ここで、本実施例では、路側法面の保護のために植物を育成させるため、圧縮空気を用いて、炭粉を含む材料を散布施工した。本実施例では、本発明に係る施工方法で用いる炭粉として、本発明に係る間伐材または建設廃材を原料として製造された木炭を粉砕したものを用いている。本実施例では、通常は用途がほとんど無く、産業廃棄物として処理されていた間伐材または建設廃材を炭粉の原材料として有効に再利用しており、エコロジーという観点からも非常に有効である。
【００３３】
本実施例においては、炭粉を含む散布材料として少なくとも炭粉と間伐材または建設廃材を原料とする木材チップを含む林産物や穀類副産物などの植物性材料を混合したものを用いた。ここで、本発明における炭粉を含む材料を散布材料としては、少なくとも炭粉を混入すれば土、砂、ピートモスなど他の材料が配合されていても全く問題ない。
【００３４】
本実施例で施工した造園施工方法は、炭粉によって芝生の保水性が向上するとともに、黒色に呈色しているため太陽光の吸収に優れ保温効果が高く且つ色粉等を添加しなくても美観に優れ、炭粉の活性炭作用によって病害の発生が抑制され、有用な植物の育成に与って効果があった。さらに、炭粉が保水効果及び保温効果を有するため、樹木を保護し生育を助ける効果があり、特に寒冷地における冬季の植物保護に与って効果がある。このため、法面上の植物の成長が促進され、その根茎の保持効果によって法面の崩落等を抑制する効果を発現した。
【００３５】
なお、本発明の方法は本実施例の法面上の植物の保護育成に限定されるものではなく、ゴルフ場、パークゴルフ場、サッカー場、野球場、イベント会場などの芝生、路側や法面、或いは庭園や公園や草地などの保護対象たる地面に対する工事等に広く用いられ、その効果を発揮することが出来る。
【００３６】
（実施例５）
次に、本発明に係る炭粉を用いた造園施工方法の他の実施例を説明する。ここでは、保護対象たる地面に植物を育成させるため、圧縮空気を用いて、炭粉を含む材料に、予め結着剤を添加したものを散布施工した。
【００３７】
本実施例においては、炭粉を含む散布材料として、少なくとも炭粉と結着剤を、間伐材または建設廃材を原料とする木材チップを含む林産物や穀類副産物などの植物性材料と混合したものを用いた。ここで、本発明における炭粉を含む散布材料としては、少なくとも炭粉を混入すれば土、砂、ピートモスなど他の材料が配合されていても全く問題ない。
【００３８】
本実施例で施工した造園施工方法は、炭粉によって芝生の保水性が向上するとともに、黒色に呈色しているため太陽光の吸収に優れ保温効果が高く且つ色粉等を添加しなくても美観に優れ、炭粉の活性炭作用によって病害の発生が抑制され、有用な植物の育成に与って効果があった。さらに、炭粉が保水効果及び保温効果を有するため、樹木を保護し生育を助ける効果があり、特に寒冷地における冬季の植物保護に与って効果がある。このため、法面上の植物の成長が促進され、その根茎の保持効果によって法面の崩落等を抑制する効果を発現した。また、同時に本実施例においては散布材料に結着剤を混入しているため、材料の定着が図られ、保護効果が向上している。このため、コンクリート、岩盤、岩石、石礫、砂礫など、一般には材料を散布しても定着せず、飛散したり流出してしまうような条件下でも効果を発揮することが出来た。
【００３９】
なお、本発明の方法は本実施例の法面上の植物の保護育成に限定されるものではなく、ゴルフ場、パークゴルフ場、サッカー場、野球場、イベント会場などの芝生、路側や法面、或いは庭園や公園や草地などの保護対象たる地面に対する工事等に広く用いられ、その効果を発揮することが出来る。
【００４０】
（実施例６）
次に、実施例５において実施した施工を、少なくとも炭粉を混入した材料の散布を行った後に、その上から少なくとも結着剤を含む材料を散布することにより実施したところ、実施例５と同様の効果を得ることが出来た。
【００４１】
【発明の効果】
以上説明したように本発明の方法は、簡便な方法によって安価に緑化工事、造園工事、法面の保護のために行う工事等での芝生等の有用な植物の育成、種子の早期発芽を促し、保水力を向上させ、病害等の発生を抑制し、土壌改良の効果を発揮し且つ美観にも資する方法を施工する事が出来、また、間伐材や建設廃材の有効な利用方法となることが出来、以って産業に多大なる貢献をする事が出来るものである。
更に本発明の方法は、リサイクルという観点からも非常に有効なものとなっている。
【図面の簡単な説明】
【図１】本発明にかかる造園施工方法の施工例を示す略図である。
【図２】本発明にかかる造園施工方法の他の例を示す略図である。
【図３】本発明にかかる造園施工方法の他の例を示す略図である。
【符号の説明】
１１　　コンプレッサー
１２　　フレキシブルホース
１３　　散布材料供給機構
１４　　施工対象面
２１　　炭粉を含む植物性材料を充填した袋
３１　　通気性及び透水性を有する第一のシート
３２　　通気性及び透水性を有する第二のシート
３３　　少なくとも炭粉とチップを含む植物性材料
３４　　止釘またはアンカーピン
【図１】
2004097090.tif 000003
【図２】
2004097090.tif 000004
【図３】
2004097090.tif 000005